(57)【要約】【課題】作業性を向上させることができると共に、落下を抑制することができる野縁接続金物を提供する。【解決手段】一実施形態に係る野縁接続金物は、第１野縁３と、第１野縁３から第１野縁３と交差する第２方向Ｄ２に延在する第２野縁４と、を接続する野縁接続金物１である。野縁接続金物１は、第１野縁３及び第２野縁４に対向するベース部１１と、ベース部１１から延びると共に第１野縁３に嵌り込む第１嵌合部１３と、ベース部１１から延びると共に第２野縁４に嵌り込む第２嵌合部１４と、第１嵌合部１３と第２嵌合部１４の間に位置すると共にベース部１１に対して折り曲げ可能となっており、折り曲げられた状態において、第１野縁３の側面３ａ、及び第２野縁４の側面４ａに当接する野縁側面当接部１５と、を備える。【選択図】図１
2019105029.tif 000002
【特許請求の範囲】
【請求項１】
第１野縁と、前記第１野縁から前記第１野縁と交差する方向に延在する第２野縁と、を接続する野縁接続金物であって、
前記第１野縁及び前記第２野縁に対向するベース部と、
前記ベース部から延びると共に前記第１野縁に嵌り込む第１嵌合部と、
前記ベース部から延びると共に前記第２野縁に嵌り込む第２嵌合部と、
前記第１嵌合部と前記第２嵌合部の間に位置すると共に前記ベース部に対して折り曲げ可能とされており、折り曲げられた状態において、前記第１野縁の側面、及び前記第２野縁の側面に当接する野縁側面当接部と、
を備える野縁接続金物。
【請求項２】
前記野縁側面当接部は、矩形板状とされており、
前記野縁側面当接部の互いに対向する一対の辺の一方が前記第１野縁の側面に当接し、他方が前記第２野縁の側面に当接する、
請求項１に記載の野縁接続金物。
【発明の詳細な説明】
【技術分野】
【０００１】
本発明は、天井を構成する複数の野縁を接続する野縁接続金物に関する。
【背景技術】
【０００２】
実開昭６０−１３０９１４号公報には、天井を構成する複数の棒状のチャンネル部材を連結する天井下地材連結金具が記載されている。各チャンネル部材の端部には天井下地材が取り付けられ、天井下地材連結金具は複数の天井下地材を連結する。天井下地材連結金具は複数の保持部を備え、各保持部は各天井下地材に沿って縦横に突出している。天井下地材連結金具には、下方から天井下地材連結金具を覆う被板が取り付けられる。被板は、平板状の基板と、基板から上方に突出する複数の係止片とを備える。また、天井下地材連結金具は、その上面部にＬ字状の複数の孔部を有する。
【０００３】
この天井下地材連結金具を用いた工法では、各チャンネル部材の端部に天井下地材を取り付けて、各天井下地材が各保持部に挿入及び係合されることによって複数のチャンネル部材が連結される。そして、天井下地材連結金具の各々のＬ字状の孔部に被板の係止片を下から挿通し、挿通した各係止片を天井下地材連結金具の上部で折り曲げることにより、被板が天井下地材連結金具に取り付けられる。
【先行技術文献】
【特許文献】
【０００４】
【特許文献１】実開昭６０−１３０９１４号公報
【発明の概要】
【発明が解決しようとする課題】
【０００５】
前述した工法では、各チャンネル部材の端部に天井下地材を取り付け、その後、各天井下地材を天井下地材連結金具に取り付けて、更に被板を天井下地材連結金具に取り付ける作業が必要である。よって、作業が煩雑であり各部材の取り付けに時間がかかるため、作業性がよくないという問題がある。また、特に近年、地震等に対する安全性が強く求められており、地震等が生じても各部材の落下を抑制できることが求められている。
【０００６】
本発明は、作業性を向上させることができると共に、落下を抑制することができる野縁接続金物を提供することを目的とする。
【課題を解決するための手段】
【０００７】
本発明に係る野縁接続金物は、第１野縁と、第１野縁から第１野縁と交差する方向に延在する第２野縁と、を接続する野縁接続金物であって、第１野縁及び第２野縁に対向するベース部と、ベース部から延びると共に第１野縁に嵌り込む第１嵌合部と、ベース部から延びると共に第２野縁に嵌り込む第２嵌合部と、第１嵌合部と第２嵌合部の間に位置すると共にベース部に対して折り曲げ可能とされており、折り曲げられた状態において、第１野縁の側面、及び第２野縁の側面に当接する野縁側面当接部と、を備える。
【０００８】
この野縁接続金物は、第１野縁及び第２野縁に対向するベース部と、ベース部から延びると共に第１野縁に嵌合する第１嵌合部と、ベース部から延びると共に第２野縁に嵌合する第２嵌合部とを備える。従って、第１野縁及び第２野縁にベース部を対向させ、ベース部から延びる第１嵌合部を第１野縁に嵌合すると共に、ベース部から延びる第２嵌合部を第２野縁に嵌合することにより、第１野縁及び第２野縁に簡単に野縁接続金物を取り付けることができる。よって、野縁接続金物を取り付けて第１野縁と第２野縁とを接続させる作業の作業性を向上させることができる。また、野縁接続金物は第１嵌合部と第２嵌合部の間に折り曲げ可能とされた野縁側面当接部を備え、野縁側面当接部は折り曲げられた状態で第１野縁の側面と第２野縁の側面に当接する。従って、第１野縁に第１嵌合部を嵌合し、第２野縁に第２嵌合部を嵌合した後に、野縁側面当接部が第１野縁の側面及び第２野縁の側面に当接することにより、嵌合後における第１野縁及び第２野縁の開きを抑制することができる。すなわち、野縁側面当接部が第１野縁及び第２野縁の各側面に外側から当接することにより、第１野縁及び第２野縁を外側から押え込むことができるので、第１野縁及び第２野縁の開きが抑制される。従って、第１野縁及び第２野縁の開きを抑制することによって、第１野縁に対する第１嵌合部の嵌合、及び第２野縁に対する第２嵌合部の嵌合が外れる可能性を低減させることができる。その結果、第１野縁及び第２野縁の交差部分の強度を高めることができ、第１野縁及び第２野縁の落下を抑制することができる。
【０００９】
また、野縁側面当接部は、矩形板状とされており、野縁側面当接部の互いに対向する一対の辺の一方が第１野縁の側面に当接し、他方が第２野縁の側面に当接してもよい。この場合、野縁側面当接部が矩形板状であることにより、野縁接続金物の形状を簡易にすることができる。また、野縁側面当接部の互いに対向する辺のうち、一方の辺が第１野縁の側面に当接し、他方の辺が第２野縁の側面に当接する。よって、野縁側面当接部の各辺が第１野縁及び第２野縁を押え込むことにより確実に第１野縁及び第２野縁の開きを抑制することができる。従って、簡易な構成を維持しつつ第１野縁及び第２野縁の落下を確実に抑制することができる。
【発明の効果】
【００１０】
本発明によれば、作業性を向上させることができると共に、落下を抑制することができる。
【図面の簡単な説明】
【００１１】
【図１】第１実施形態に係る野縁接続金物、第１野縁及び第２野縁を示す斜視図である。
【図２】図１の野縁接続金物を示す斜視図である。
【図３】図１の野縁接続金物の嵌合部が第１野縁又は第２野縁に嵌合している状態を示す断面図である。
【図４】図１の野縁接続金物の野縁側面当接部を拡大した図である。
【図５】第１野縁及び第２野縁に野縁接続金物が嵌合した状態を示す斜視図である。
【図６】第２実施形態に係る野縁接続金物を示す斜視図である。
【図７】（ａ）は、図６の野縁接続金物、第１野縁及び第２野縁を示す平面図である。（ｂ）は、野縁接続金物の突出片と第１野縁とを示す縦断面図である。
【図８】第３実施形態に係る野縁接続金物を示す斜視図である。
【図９】図８の野縁接続金物を示す平面図である。
【発明を実施するための形態】
【００１２】
以下では、図面を参照しながら本発明に係る野縁接続金物の実施形態について説明する。図面の説明において、同一又は相当する要素には同一の符号を付し、重複する説明を適宜省略する。
【００１３】
（第１実施形態）
図１は、第１実施形態に係る野縁接続金物１を示す斜視図である。図１に示されるように、野縁接続金物１は、例えば、複数の天井面材２を備えた天井構造に設けられており、この天井構造は、第１野縁３と、第１野縁３に交差する第２野縁４とを備えている。第１野縁３と第２野縁４は、例えば、同一平面内に配置されており、第１野縁３の高さは第２野縁４の高さと同一である。
【００１４】
以下では、第１野縁３が延びる方向を第１方向Ｄ１、第２野縁４が延びる方向を第２方向Ｄ２として説明する。例えば、第１野縁３及び第２野縁４は、共に天井面材２にビス止めされており、各天井面材２は正方形状とされている。一例として、天井面材２は、ポリエステル製の不織布基材を備えた天井材であってもよく、この場合、従来の天井材よりも軽量化することが可能である。
【００１５】
野縁接続金物１は、第１野縁３と第２野縁４の交差部分に配置される。野縁接続金物１は、第１野縁３及び第２野縁４の火打ちとしての機能を発揮させることが可能となっており、第１野縁３及び第２野縁４を補強することが可能である。従って、前述のような軽量化された天井面材２を用いても、野縁接続金物１により、天井構造の面剛性を高める効果が得られる。
【００１６】
野縁接続金物１は、第１野縁３及び第２野縁４の交差部分において、第１野縁３と第２野縁４を接続する。例えば、第１野縁３は、第１方向Ｄ１に延びる通し野縁であり、第２野縁４は、当該交差部分において２本に分断されている。この場合、各第２野縁４の第２方向Ｄ２の端部が第１野縁３の側面３ａに対向し、野縁接続金物１は、一の第２野縁４の端部と、第１野縁３と、他の第２野縁４の端部とを接続する。
【００１７】
第１野縁３を、その長手方向に直交する面で切断したときの断面は、上方に開口した形状とされている。すなわち、第１野縁３は、一対の側面３ａと、一対の側面３ａ同士を接続する底面３ｂとを有し、一対の側面３ａ及び底面３ｂによって上方に開口するコの字状とされている。また、第１野縁３は、その上端で第１野縁３の幅方向の内側且つ下側に折り返された折り返し部３ｃを備える。折り返し部３ｃは第１野縁３の幅方向に一対に設けられる。第２野縁４の形状は、例えば、第１野縁３の形状と同様とされており、第２野縁４は、第１野縁３と同様の側面４ａ、底面４ｂ及び折り返し部４ｃを備える。
【００１８】
野縁接続金物１は、第１野縁３及び第２野縁４の上側に位置するベース部１１と、ベース部１１を貫通する複数の孔部１２と、ベース部１１から折り曲げられた複数の第１嵌合部１３及び第２嵌合部１４と、ベース部１１に対して折り曲げ可能とされた複数の野縁側面当接部１５とを備える。ベース部１１は、第１方向Ｄ１及び第２方向Ｄ２に延びる平面を形成し、天井面材２に沿って延在する。例えば、ベース部１１は、突出する部位を有しない形状であってもよい。この場合、野縁接続金物１の形状を簡易にすることができる。
【００１９】
また、本明細書において、野縁側面当接部とは、野縁の側面に当接する部分、及び、野縁の側面に当接可能な部分（例えば、僅かな隙間を介して野縁の側面に対向する部分）の両方を含む。すなわち、野縁側面当接部は、施工時に野縁の側面に当接する部分だけでなく、施工時に野縁の側面に当接しておらず且つ振動発生時等に野縁の側面に当接しうる部分を含んでいる。
【００２０】
図１及び図２に示されるように、ベース部１１は、平板状を呈する。ベース部１１は、八角形状とされており、ベース部１１の４つの端辺１１ａは、第１方向Ｄ１及び第２方向Ｄ２の双方に傾斜している。ベース部１１の他の４つの端辺１１ｂは、第１野縁３及び第２野縁４の幅方向に延在する。端辺１１ａは第１野縁３と第２野縁４の間を跨ぐ辺であり、端辺１１ｂは一対の側面３ａ，４ａの間に入り込む。端辺１１ａは端辺１１ｂよりも長く延びており、端辺１１ａと端辺１１ｂとの成す角度は例えば１３５°である。
【００２１】
ベース部１１には４つの孔部１２が形成されており、例えば、各孔部１２は角部が丸められた直角二等辺三角形状を成している。孔部１２は、ベース部１１を貫通する貫通孔であり、野縁接続金物１の軽量化のために設けられる。各孔部１２の直角部１２ａはベース部１１の中心１１ｃに向けられており、各孔部１２の斜辺部１２ｂは端辺１１ａに沿って延びている。孔部１２の各等辺１２ｃは、第１野縁３又は第２野縁４に沿って延びており、各等辺１２ｃの下側に側面３ａ，４ａの上端が対向する。４つの孔部１２のうち、中心１１ｃを通る直線上に位置する２つの孔部１２は中心１１ｃに対して互いに対称となる位置に設けられており、残り２つの孔部１２も中心１１ｃに対して互いに対称となる位置に設けられている。
【００２２】
ベース部１１の各端辺１１ｂからは下方に第１嵌合部１３又は第２嵌合部１４が延在する。ベース部１１には、２つの第１嵌合部１３と２つの第２嵌合部１４が設けられている。各第１嵌合部１３は第１野縁３に嵌合する。また、２つの第２嵌合部１４のうち、１つの第２嵌合部１４は一方の第２野縁４に嵌合し、残り１つの第２嵌合部１４は他方の第２野縁４に嵌合する。
【００２３】
図３に示されるように、各第１嵌合部１３は、第１野縁３の一対の折り返し部３ｃの間に嵌合する形状とされている。具体的には、各第１嵌合部１３は、ベース部１１から下方に延びる一対の直線部１３ａと、各直線部１３ａの下端から拡張する拡張部１３ｂと、各拡張部１３ｂから下方に半円状に湾曲する湾曲部１３ｃとを備える。各第１嵌合部１３は、各拡張部１３ｂ及び湾曲部１３ｃが一対の折り返し部３ｃの下方に入り込むことにより、第１野縁３に上から嵌合する。
【００２４】
各第２嵌合部１４は、第２野縁４の一対の折り返し部４ｃの間に嵌合する形状とされている。第２嵌合部１４の形状は、例えば、第１嵌合部１３の形状と同一である。この場合、第２嵌合部１４は、第１嵌合部１３と同様、一対の直線部１４ａ、一対の拡張部１４ｂ、及び湾曲部１４ｃを備え、各拡張部１４ｂ及び湾曲部１４ｃが一対の折り返し部４ｃの下方に入り込むことにより、第２野縁４に上から嵌合する。
【００２５】
図１、図２及び図４に示されるように、ベース部１１には４つの野縁側面当接部１５が設けられている。各野縁側面当接部１５は各端辺１１ａに設けられている。各野縁側面当接部１５は、第１野縁３及び第２野縁４の開きを抑制するために設けられる。具体的には、上方に開口するコの字状の各野縁３，４に嵌合部１３，１４を嵌合するときには、一対の側面３ａ，４ａの間に嵌合部１３，１４が入り込むため、一対の側面３ａ，４ａの間に開きが生じうる。この開きの程度が大きい場合、嵌合後に嵌合部１３，１４から第１野縁３又は第２野縁４が外れて脱落する可能性がある。このような事態を回避するために、野縁接続金物１は、一対の側面３ａ，４ａの間の開きを抑制する野縁側面当接部１５を備える。
【００２６】
各野縁側面当接部１５は、ベース部１１の端辺１１ａから長方形状に突出している。野縁側面当接部１５とベース部１１の間には折り曲げ部１６が設けられており、野縁側面当接部１５は折り曲げ部１６に沿って折り曲げ自在とされている。折り曲げ部１６は、端辺１１ａに沿って直線状に延びている。折り曲げ部１６は、例えば、ミシン目を有する。具体例として、折り曲げ部１６は、端辺１１ａに沿って延びる複数のスリット１６ａと、端辺１１ａに沿って延びる複数の繋ぎ部１６ｂとを有する。スリット１６ａ及び繋ぎ部１６ｂは交互に形成されている。
【００２７】
各野縁側面当接部１５は、矩形板状とされている。野縁側面当接部１５は、折り曲げ部１６から延びる一対の辺である当接端部１５ａと、一対の当接端部１５ａの間を接続する接続端部１５ｂとを有する。各当接端部１５ａは野縁側面当接部１５の矩形の短辺を成しており、接続端部１５ｂ及び折り曲げ部１６は野縁側面当接部１５の矩形の長辺を成している。当接端部１５ａは、野縁側面当接部１５が折り曲げられた状態において、第１野縁３の側面３ａ又は第２野縁４の側面４ａに当接する部位である。当接端部１５ａの長さは、例えば、側面３ａ，４ａの高さよりも短い。
【００２８】
次に、野縁接続金物１を用いて第１野縁３及び第２野縁４を接続する野縁接続方法について説明する。本実施形態において、野縁接続金物１は、２本の第２野縁４と、２本の第２野縁４の間を通る１本の第１野縁３と、を接続する。まず、図５に示されるように、鉛直方向上方から野縁接続金物１を第１野縁３及び第２野縁４に嵌合する。このとき、２つの第１嵌合部１３を第１野縁３に嵌合する。そして、２つの第２嵌合部１４のうち１つを一方の第２野縁４に嵌合すると共に、他の１つを他方の第２野縁４に嵌合する。
【００２９】
具体的には、各嵌合部１３，１４の拡張部１３ｂ，１４ｂと湾曲部１３ｃ，１４ｃが第１野縁３及び第２野縁４それぞれの折り返し部３ｃ，４ｃの下方に入り込むことにより、第１野縁３及び第２野縁４のそれぞれに対して各嵌合部１３，１４が嵌合する。なお、各嵌合部１３，１４の嵌合時において、野縁側面当接部１５は、折り曲げられておらず、ベース部１１と同一平面上に延在しているため、野縁側面当接部１５が邪魔になることはない。また、嵌合部１３，１４の嵌合時には、一対の側面３ａ，４ａの間に嵌合部１３，１４が入り込むため、一対の側面３ａ，４ａの間に開きが生じることがある。
【００３０】
次に、図１に示されるように、各野縁側面当接部１５を折り曲げて各野縁側面当接部１５を第１野縁３及び第２野縁４に当接させる。具体的には、ベース部１１に対して各野縁側面当接部１５を下方に折り曲げて、一対の当接端部１５ａのそれぞれを側面３ａ，４ａに当接させる。このように各当接端部１５ａを各側面３ａ，４ａに当接させることにより、一対の側面３ａ，４ａの間に生じる開きを抑えることが可能となる。以上のように、各野縁側面当接部１５を折り曲げ部１６から下方に折り曲げることにより、第１野縁３及び第２野縁４に対する野縁接続金物１の取り付け作業が完了する。この野縁接続金物１の取り付け作業は、工具等を使わずに手だけで行うことが可能である。
【００３１】
次に、本実施形態に係る野縁接続金物１から得られる作用効果についてより詳細に説明する。野縁接続金物１は、第１野縁３及び第２野縁４に対向するベース部１１と、ベース部１１から延びると共に第１野縁３に嵌合する第１嵌合部１３と、ベース部１１から延びると共に第２野縁４に嵌合する第２嵌合部１４とを備える。従って、第１野縁３及び第２野縁４にベース部１１を対向させ、ベース部１１から延びる第１嵌合部１３を第１野縁３に嵌合すると共に、ベース部１１から延びる第２嵌合部１４を第２野縁４に嵌合することにより、第１野縁３及び第２野縁４に簡単に野縁接続金物１を取り付けることができる。よって、野縁接続金物１を取り付けて第１野縁３と第２野縁４を接続させる作業の作業性を向上させることができる。
【００３２】
また、野縁接続金物１は第１嵌合部１３と第２嵌合部１４の間に折り曲げ可能とされた野縁側面当接部１５を備え、野縁側面当接部１５は折り曲げられた状態で第１野縁３の側面３ａと第２野縁４の側面４ａに当接する。従って、第１野縁３に第１嵌合部１３を嵌合し、第２野縁４に第２嵌合部１４を嵌合した後に、野縁側面当接部１５が第１野縁３の側面３ａ及び第２野縁４の側面４ａに当接することにより、第１野縁３及び第２野縁４を外側から押え込むことができるので、第１野縁３及び第２野縁４の開きが抑制される。
【００３３】
従って、第１野縁３及び第２野縁４の開きを抑制することによって、第１野縁３に対する第１嵌合部１３の嵌合、及び第２野縁４に対する第２嵌合部１４の嵌合が外れる可能性を低減させることができる。その結果、第１野縁３及び第２野縁４の交差部分の強度を高めることができ、第１野縁３及び第２野縁４の落下を抑制することができる。
【００３４】
また、野縁側面当接部１５が折り曲げられた状態において第１野縁３と第２野縁４の間に野縁側面当接部１５が介在する。よって、第１野縁３と第２野縁４の間に野縁側面当接部１５が介在することにより、野縁側面当接部１５に火打ちとしての機能を発揮させることができる。すなわち、野縁側面当接部１５は、第１野縁３と第２野縁４との接続部分における剛性の向上に寄与する。従って、野縁側面当接部１５により、第１野縁３と第２野縁４の交差角度を保持することができ、第１野縁３と第２野縁４の回転を抑制することができる。
【００３５】
また、野縁側面当接部１５は、矩形板状とされており、野縁側面当接部１５の互いに対向する一対の辺である当接端部１５ａの一方が第１野縁３の側面３ａに当接し、他方が第２野縁４の側面４ａに当接する。よって、野縁側面当接部１５が矩形板状であることにより、野縁側面当接部１５の形状を簡易にすることができる。また、野縁側面当接部１５の互いに対向する当接端部１５ａのうち、一方の当接端部１５ａが第１野縁３の側面３ａに当接し、他方の当接端部１５ａが第２野縁４の側面４ａに当接する。よって、野縁側面当接部１５の各当接端部１５ａが第１野縁３及び第２野縁４を押え込むことにより確実に第１野縁３及び第２野縁４の開きを抑制することができる。従って、簡易な構成を維持しつつ第１野縁３及び第２野縁４の落下を確実に抑制することができる。
【００３６】
（第２実施形態）
次に、第２実施形態に係る野縁接続金物２０について図６、図７（ａ）及び図７（ｂ）を参照しながら説明する。野縁接続金物２０は、ベース部１１とは異なる形状のベース部２１を備えており、第１嵌合部１３と野縁側面当接部１５の数が第１実施形態と異なっている。以降の説明では、第１実施形態と重複する説明を適宜省略する。
【００３７】
野縁接続金物２０は、第１方向Ｄ１に延びる１本の第１野縁３と、第２方向Ｄ２に延びる２本の第２野縁４とがＴ字状に交差する部分において、第１野縁３と第２野縁４とを接続する。ベース部２１は、六角形状とされており、ベース部２１の２つの端辺２１ａは、第１方向Ｄ１及び第２方向Ｄ２の双方に傾斜している。ベース部２１の３つの端辺２１ｂは、第１野縁３及び第２野縁４の幅方向に延在し、残り１つの端辺２１ｃは第２方向Ｄ２に延在する。ベース部２１には２つの孔部１２が形成されている。なお、図６では、簡略化のため孔部１２の図示を省略している。各孔部１２の斜辺部１２ｂは端辺２１ａに沿って延びており、孔部１２の各等辺１２ｃは、第１野縁３又は第２野縁４に沿って延在する。ベース部２１の各端辺２１ｂからは、下方に１つの第１嵌合部１３と２つの第２嵌合部１４が延在する。
【００３８】
ベース部２１には２つの野縁側面当接部１５と１つの突出片２５が設けられている。各野縁側面当接部１５は各端辺２１ａに設けられており、突出片２５は端辺２１ｃに設けられている。突出片２５は、野縁側面当接部１５と同様、折り曲げ部１６を介してベース部２１に接続されている。突出片２５は、ベース部２１と同一平面上に延在する第１平面２５ａと、第１平面２５ａから下方に延びる第２平面２５ｂとを有する。
【００３９】
突出片２５は、第１野縁３の下に入り込んで第１野縁３の端部の撓みを抑制するために設けられる。突出片２５が折り曲げ部１６に沿って折り曲げられると、第２平面２５ｂが第１野縁３の下面３ｄに対向すると共に、第１平面２５ａが第１野縁３の第１方向Ｄ１の端面３ｅに対向する。このように、突出片２５は、第２平面２５ｂが第１野縁３の下面３ｄに対向すると共に第１平面２５ａが第１野縁３の端面３ｅに対向する。これにより、第１野縁３の端部の撓みが突出片２５によって防止される。なお、突出片２５は第２野縁４の下に入り込んで第２野縁４の端部の撓みを抑制してもよい。図７（ａ）では、突出片２５が第１野縁３及び２本の第２野縁４の下に入り込んで撓みを抑制する例を示している。
【００４０】
野縁接続金物２０を用いて第１野縁３及び第２野縁４を接続する野縁接続方法について説明する。野縁接続金物２０は、第１方向Ｄ１に延びる１本の第１野縁３と、第２方向Ｄ２に延びる２本の第２野縁４とを接続する。この野縁接続方法では、第１実施形態と同様、第１嵌合部１３を鉛直方向上方から第１野縁３に嵌合し、各第２嵌合部１４を鉛直方向上方から第２野縁４に嵌合する。次に、各野縁側面当接部１５を下方に折り曲げて各野縁側面当接部１５を第１野縁３及び第２野縁４に当接させ、突出片２５を下方に折り曲げて突出片２５を第１野縁３及び第２野縁４の端部に対向させることにより、野縁接続金物２０の取り付け作業が完了する。
【００４１】
以上、第２実施形態に係る野縁接続金物２０では、第１野縁３に各第１嵌合部１３を嵌合し、第２野縁４に第２嵌合部１４を嵌合した後に、各野縁側面当接部１５が第１野縁３の側面３ａ及び第２野縁４の側面４ａに当接する。その結果、第１野縁３及び第２野縁４を外側から押え込むことができるので、第１実施形態と同様の効果が得られる。
【００４２】
（第３実施形態）
続いて、第３実施形態に係る野縁接続金物３０について図８及び図９を参照しながら説明する。野縁接続金物３０は、第１方向Ｄ１に延びる第１野縁３の端部と、第２方向Ｄ２に延びる第２野縁４の端部とがＬ字状に交差する部分において、第１野縁３と第２野縁４とを接続する。野縁接続金物３０のベース部３１は、五角形状とされており、ベース部３１の１つの端辺３１ａは、第１方向Ｄ１及び第２方向Ｄ２の双方に傾斜している。ベース部３１の２つの端辺３１ｂは、第１野縁３及び第２野縁４の幅方向に延在し、残り２つの端辺３１ｃの一方は第１方向Ｄ１に延在し、他方は第２方向Ｄ２に延在する。
【００４３】
ベース部３１には１つの孔部１２が形成されている。なお、図８では、簡略化のため孔部１２の図示を省略している。孔部１２の斜辺部１２ｂは端辺３１ａに沿って延びており、孔部１２の各等辺１２ｃは端辺３１ｃに沿って延びており、各端辺３１ｂからは下方に第１嵌合部１３及び第２嵌合部１４のそれぞれが延在する。ベース部３１には、１つの野縁側面当接部１５と２つの突出片２５が設けられている。野縁側面当接部１５は端辺３１ａに設けられており、各突出片２５は各端辺３１ｃに設けられている。
【００４４】
野縁接続金物３０を用いて第１野縁３及び第２野縁４を接続する野縁接続方法は、前述した各実施形態と同様である。すなわち、第１嵌合部１３を第１野縁３に上から嵌合すると共に第２嵌合部１４を第２野縁４に上から嵌合し、野縁側面当接部１５を折り曲げて第１野縁３及び第２野縁４に当接させる。そして、突出片２５を折り曲げて突出片２５を第１野縁３又は第２野縁４の端部に対向させることにより、野縁接続金物３０の取り付け作業が完了する。以上、第３実施形態に係る野縁接続金物３０では、第１野縁３に第１嵌合部１３を嵌合し、第２野縁４に第２嵌合部１４を嵌合した後に野縁側面当接部１５が側面３ａ，４ａに当接することにより、第１野縁３及び第２野縁４を外側から押え込むことができる。従って、前述した各実施形態と同様の効果が得られる。
【００４５】
以上、本発明に係る野縁接続金物の実施形態について説明したが、本発明は、前述の実施形態に限定されるものではなく、各請求項に記載した要旨を変更しない範囲で変形し、又は他のものに適用したものであってもよい。すなわち、本発明に係る野縁接続金物は、各請求項の要旨を変更しない範囲において種々の変形が可能である。
【００４６】
例えば、前述の実施形態では、八角形状のベース部１１と、直角三角形状の孔部１２と、直線部１３ａ，１４ａ、拡張部１３ｂ，１４ｂ及び湾曲部１３ｃ，１４ｃを有する嵌合部１３，１４を備えた野縁接続金物１について説明した。しかしながら、ベース部、孔部及び嵌合部の形状、大きさ、数及び配置態様については適宜変更可能である。また、野縁側面当接部、折り曲げ部及び突出片の形状、大きさ、数及び配置態様についても適宜変更可能である。例えば、前述の実施形態では、スリット１６ａ及び繋ぎ部１６ｂを有する折り曲げ部１６について説明したが、折り曲げ部は、スリット及び繋ぎ部を有しない部位であってもよい。すなわち、折り曲げ部は、周辺の他の部分よりも折り曲げやすい部位（例えば、周辺の他の部分よりも肉薄とされた部位、又は周辺の他の部分よりも曲げ剛性が低い部位）であってもよいし、折り曲げが予定されている部位（例えば、折り曲げ予定線が表示されている部位）であってもよい。このように、折り曲げ部の態様は適宜変更可能である。
【００４７】
例えば、図１に示される例では、野縁側面当接部１５の両端に位置する当接端部１５ａのそれぞれが野縁３，４の側面３ａ，４ａ当接している。しかしながら、野縁側面当接部１５は、各当接端部１５ａから野縁３，４の側面３ａ，４ａに沿って延びる部位を有してもよい。この場合、野縁側面当接部１５の当該部位を野縁３，４の側面３ａ，４ａに沿って延ばすことにより、当該部位と側面３ａ，４ａとをビス固定することが可能であり、火打ちによる固定を更に強固にすることができる。
【００４８】
また、前述の実施形態では、第１野縁３に上から嵌合する第１嵌合部１３、及び第２野縁４に上から嵌合する第２嵌合部１４を備えた野縁接続金物１について説明した。しかしながら、本発明に係る野縁接続金物は、例えば、第１嵌合部１３及び第２嵌合部１４に代えて、横からスライドして嵌り込む嵌合部を備えたものであってもよい。すなわち、野縁に嵌合させる嵌合の方向は、上下方向に限られず適宜変更可能である。
【００４９】
また、前述の実施形態では、第１野縁３が第１方向Ｄ１に延在すると共に、第２野縁４が第１野縁３の両側から第２方向Ｄ２に延びる天井構造について例示した。しかしながら、本発明に係る野縁接続金物は他の様々な天井構造にも適用可能である。野縁の形状、大きさ、数及び配置態様は、前述した各実施形態とは異なっていてもよい。例えば、交差部分において、第１野縁が２本に分断されていてもよいし、２本の第１野縁の間に第２野縁が通っていてもよい。更に、天井面材の形状、大きさ、数、材料及び配置態様についても、前述の実施形態に限定されず適宜変更可能である。
【符号の説明】
【００５０】
１，２０，３０…野縁接続金物、２…天井面材、３…第１野縁、３ａ，４ａ…側面、３ｂ，４ｂ…底面、３ｃ，４ｃ…折り返し部、３ｄ…下面、３ｅ…端面、４…第２野縁、１１，２１，３１…ベース部、１１ａ，１１ｂ，２１ａ，２１ｂ，２１ｃ，３１ａ，３１ｂ，３１ｃ…端辺、１１ｃ…中心、１２…孔部、１２ａ…直角部、１２ｂ…斜辺部、１２ｃ…等辺、１３…第１嵌合部、１３ａ，１４ａ…直線部、１３ｂ，１４ｂ…拡張部、１３ｃ，１４ｃ…湾曲部、１５…野縁側面当接部、１５ａ…当接端部、１５ｂ…接続端部、１６…折り曲げ部、１６ａ…スリット、１６ｂ…繋ぎ部、２５…突出片、２５ａ…第１平面、２５ｂ…第２平面、Ｄ１…第１方向、Ｄ２…第２方向。
【図１】
2019105029.tif 000003
【図２】
2019105029.tif 000004
【図３】
2019105029.tif 000005
【図４】
2019105029.tif 000006
【図５】
2019105029.tif 000007
【図６】
2019105029.tif 000008
【図７】
2019105029.tif 000009
【図８】
2019105029.tif 000010
【図９】
2019105029.tif 000011